(57)【要約】【課題】冷風が内容物に直接当たることを防止できる包装箱およびその製造方法を提供する。【解決手段】包装箱１Ａであって、紙製の箱体１０と、箱体１０の内面に貼り付けられた紙製の内部シート５０Ａと、を有している。箱体１０は、底板２０と、筒状の壁部３０と、頂板４０と、を備えており、頂板４０には通気孔４１が形成されている。内部シート５０Ａは、通気孔４１を覆っている。【選択図】図１
2020117230.tif 000002
【特許請求の範囲】
【請求項１】
紙製の箱体と、
前記箱体の内面に貼り付けられた紙製の内部シートと、を有し、
前記箱体は、
底板と、
前記底板の縁部に連設された筒状の壁部と、
前記壁部の上縁部に連設された頂板と、を備え、
前記頂板または前記壁部には、通気孔が形成されており、
前記内部シートは、前記通気孔を覆っていることを特徴とする包装箱。
【請求項２】
請求項１に記載の包装箱であって、
前記通気孔が、前記箱体の内面と前記内部シートの外面との隙間と通じていることを特徴とする包装箱。
【請求項３】
請求項１または請求項２に記載の包装箱であって、
前記内部シートは、前記底板、前記壁部および前記頂板の内面に貼り付けられていることを特徴とする包装箱。
【請求項４】
請求項３に記載の包装箱であって、
前記壁部は、前後一対の端壁と、左右一対の側壁と、を備え、
前記底板、前記両側壁および前記頂板の内面に一枚の前記内部シートが貼り付けられていることを特徴とする包装箱。
【請求項５】
請求項４に記載の包装箱であって、
前記内部シートの前後方向の幅は、前記底板の前後方向の幅よりも広く形成され、
前記内部シートは前記端壁の内面に貼り付けられていることを特徴とする包装箱。
【請求項６】
請求項１から請求項５のいずれか一項に記載の包装箱であって、
前記内部シートは、耐水性または撥水性を有することを特徴とする包装箱。
【請求項７】
紙製の箱体と、前記箱体の内面に貼り付けられた紙製の内部シートと、を有する包装箱の製造方法であって、
紙製のシート部材を、底板と、前記底板の縁部に連接された筒状の壁部と、前記壁部の上縁部に連接された頂板と、前記頂板または前記壁部に形成された通気孔とを備えた箱体を展開したブランクシートに加工する工程と、
前記箱体の内面となる前記ブランクシートの面に、前記通気孔を覆うように紙製の内部シートを貼り付ける工程と、
を含むことを特徴とする包装箱の製造方法。
【発明の詳細な説明】
【技術分野】
【０００１】
本発明は、包装箱および包装箱の製造方法に関する。
【背景技術】
【０００２】
魚介類や野菜などの生鮮食品を保冷状態で運搬または保管するための紙製の包装箱としては、底板と、底板の縁部に連設された筒状の壁部と、壁部の上縁部に連設された頂板と、を備え、頂板に通気孔が形成されているものがある（例えば、特許文献１参照）。
【０００３】
この構成では、外部の冷気が通気孔から包装箱の内部に入り込むため、生鮮食品の冷却効率を高めることができる。
【先行技術文献】
【特許文献】
【０００４】
【特許文献１】実用新案登録第３１８２２２５号公報
【発明の概要】
【発明が解決しようとする課題】
【０００５】
前記した従来の包装箱では、冷風が通気孔から生鮮食品に直接当たると、生鮮食品の水分が抜けて油脂が酸化する冷凍焼けが生じるという問題がある。
【０００６】
本発明は、前記した問題を解決し、冷風が内容物に直接当たることを防止可能な包装箱を提供することを課題とする。
また、本発明は、前記した包装箱を効率良く製造する方法を提供することを課題とする。
【課題を解決するための手段】
【０００７】
前記課題を解決するため、本発明は、包装箱であって、紙製の箱体と、前記箱体の内面に貼り付けられた紙製の内部シートと、を有している。前記箱体は、底板と、前記底板の縁部に連設された筒状の壁部と、前記壁部の上縁部に連設された頂板と、を備えている。前記頂板または前記壁部には、通気孔が形成されている。前記内部シートは、前記通気孔を覆っている。
【０００８】
また、前記課題を解決するため、本発明は、紙製の箱体と、前記箱体の内面に貼り付けられた紙製の内部シートと、を有する包装箱の製造方法であって、紙製のシート部材を、底板と、前記底板の縁部に連接された筒状の壁部と、前記壁部の上縁部に連接された頂板と、前記頂板または前記壁部に形成された通気孔とを備えた箱体を展開したブランクシートに加工する工程と、前記箱体の内面となる前記ブランクシートの面に、前記通気孔を覆うように紙製の内部シートを貼り付ける工程とを含んでいる。
【０００９】
本発明の包装箱では、通気孔が内部シートによって覆われているため、冷風が内容物に直接当たることを防止できる。内容物が生鮮食品である場合には、冷風が生鮮食品に直接当たらないため、生鮮食品の冷凍焼けを防止できる。
本発明の包装箱では、内部シートが紙製であるため、包装箱を廃棄する際に箱体と内部シートとを分別しなくてもリサイクルすることができる。
【００１０】
前記した包装箱において、前記通気孔が、前記箱体の内面と前記内部シートの外面との隙間と通じていることが好ましい。
この構成では、外部から通気孔を通過した冷気が、箱体の内面と内部シートの外面との隙間を通じて、箱体の内部空間を包み込むため、内容物の冷却効率を高めることができる。
【００１１】
前記した包装箱において、前記内部シートは、前記底板、前記壁部および前記頂板の内面に貼り付けられていることが好ましい。
この構成では、内部シートが底板、壁部および頂板の内面に貼り付けられているため、箱体が濡れて損傷することを抑えることができる。
【００１２】
前記した包装箱において、前記壁部が、前後一対の端壁と、左右一対の側壁と、を備えている場合には、前記底板、前記両側壁および前記頂板の内面に一枚の前記内部シートが貼り付けられていることが好ましい。
この構成では、内部シートの切断加工を簡略化できるとともに、箱体の内面に内部シートを簡単に貼り付けることができるため、包装箱の製造効率を高めることができる。
【００１３】
前記した包装箱において、前記内部シートの前後方向の幅を、前記底板の前後方向の幅よりも広く形成し、前記内部シートを前記端壁の内面に貼り付けることが好ましい。
このように、箱体の内面の広範囲に内部シートを貼り付けることで、箱体が濡れて損傷することを確実に抑えることができる。
【００１４】
前記した包装箱において、前記内部シートは耐水性または撥水性を有することが好ましい。
この構成では、紙製の箱体の内面に耐水性または撥水性を有する内部シートを貼り付けられているため、冷気や内容物などから生じた水分により箱体が濡れて損傷することを抑えることができる。
【００１５】
また、本発明の包装箱の製造方法では、紙製のシート部材をブランクシートに加工する工程の後、ブランクシートに紙製の内部シートを貼り付けるため、シート部材の加工時に内部シートが加工の邪魔をすることがなく、前記した包装箱を効率良く製造することができる。
【発明の効果】
【００１６】
本発明の包装箱では、冷風が内容物に直接当たることを防止できるため、内容物の品質低下を抑えて、内容物を冷凍保存できる。
本発明の包装箱では、内部シートが紙製であるため、箱体と内部シートとを分別しなくても包装箱をリサイクルすることができる。
【００１７】
本発明の包装箱の製造方法では、内部シートが、箱体となるブランクシートの加工の邪魔をすることがないため、箱体と箱体の内面に貼り付けられた内部シートとを有する包装箱を効率良く製造することができる。
【図面の簡単な説明】
【００１８】
【図１】本発明の第一実施形態に係る包装箱を前方左上から見た斜視図である。
【図２】本発明の第一実施形態に係る包装箱を示した図１のII−II断面図である。
【図３】本発明の第一実施形態に係る包装箱のブランクシートに内部シートを貼り付けた状態を示した斜視図である。
【図４】本発明の第一実施形態に係る包装箱のブランクシートに内部シートを貼り付ける前の状態を示した斜視図である。
【図５】本発明の第二実施形態に係る包装箱のブランクシートに内部シートを貼り付けた状態を示した斜視図である。
【発明を実施するための形態】
【００１９】
本発明の実施形態について、適宜図面を参照しながら詳細に説明する。
なお、各実施形態の説明において、同一の構成要素に関しては同一の符号を付し、重複した説明は省略するものとする。
【００２０】
以下の説明において、前後左右方向とは、本実施形態の包装箱を説明する上で便宜上設定したものであり、包装箱の構成を限定するものではない。
【００２１】
［第一実施形態］
第一実施形態の包装箱１Ａは、図１に示すように、段ボール製の箱体１０と、箱体１０の内面に貼り付けられた紙製の内部シート５０Ａと、を備えている。包装箱１Ａは、魚介類や野菜などの生鮮食品を保冷状態で運搬または保管するための箱である。
【００２２】
箱体１０は、底板２０と、底板２０の縁部に連設された角筒状の壁部３０と、壁部３０の上縁部に連設された左右の頂板４０，４０と、を備えている。壁部３０は、前後一対の端壁３１，３１と、左右一対の側壁３２，３２と、を備えている。なお、図１では、両頂板４０，４０の一部を破断させている。
【００２３】
本実施形態の箱体１０は、図４に示すように、一枚の段ボール製のシート部材を切り抜いたブランクシートＳを各罫線において山折りまたは谷折りすることで形成される。図４に示すブランクシートＳは内面側が見えるように配置されている。
【００２４】
ブランクシートＳの各罫線（折線）は、ブランクシートＳの表面を押し込んで形成された線状の溝（押罫）である。なお、罫線にスリットを形成してもよい。このようにすると、罫線においてブランクシートＳを折り曲げ易くなる。
【００２５】
底板２０は、四角形の平板である。図１に示すように、底板２０の外周縁部に壁部３０の下縁部が連設されている。
底板２０の前後の縁部には、罫線を介して前後の端壁３１，３１がそれぞれ連設されている。底板２０の左右の縁部には、罫線を介して左右の側壁３２，３２がそれぞれ連設されている。
【００２６】
前後の端壁３１，３１および左右の側壁３２，３２は、四角形の壁体であり、底板２０に対して垂直に形成されている。
側壁３２の前縁部には、前側の接合片３３が連設されており、前側の接合片３３は、前側の端壁３１の内面に接着剤によって接合されている。
【００２７】
側壁３２の後縁部には、後側の接合片３３が連設されており、後側の接合片３３は、後側の端壁３１の内面に接着剤によって接合されている。
端壁３１の上縁部には、両頂板４０，４０の下面に重ねられる帯状のフラップ３４が連設されている。
【００２８】
左側の側壁３２の上縁部には、罫線を介して左側の頂板４０が連設されている。左側の頂板４０は、壁部３０の上面開口部の左半分を覆う四角形の平板であり、左側の側壁３２に対して垂直に形成されている。
右側の側壁３２の上縁部には、罫線を介して右側の頂板４０が連設されている。右側の頂板４０は、壁部３０の上面開口部の右半分を覆う四角形の平板であり、右側の側壁３２に対して垂直に形成されている。
【００２９】
左右の頂板４０，４０は、壁部３０の上面開口部の左右方向の中央部において突き合わされている。左右の頂板４０，４０によって壁部３０の上面開口部が閉塞されている。
【００３０】
頂板４０には、複数の通気孔４１が形成されている。通気孔４１は四角形の貫通孔である。第一実施形態の頂板４０には、四つの通気孔４１が前後方向に間隔を空けて配置されている。
【００３１】
内部シート５０Ａは、図３に示すように、底板２０、左右の側壁３２，３２および左右の頂板４０，４０の内面に貼り付けられた一枚のシートである。
内部シート５０Ａは、図４に示すように、長方形の紙シートである。内部シート５０Ａは、耐水性または撥水性を有しており、水に対して強度が低下し難いように構成されている。
【００３２】
例えば、耐水性は、パラフィンやワックスを原紙に染み込ませることで確保できる。また、撥水性は、フッ素、シリコーン、ジメチルを原紙にコーティングすることで確保できる。
【００３３】
内部シート５０Ａの前後方向の幅は、図３に示すように、底板２０、側壁３２および頂板４０の前後方向の幅と同じ大きさとなっている。そして、一枚の内部シート５０Ａによって底板２０、左右の側壁３２，３２および左右の頂板４０，４０の内面全体が覆われている。両頂板４０，４０の各通気孔４１は、内部シート５０Ａによって覆われている。
【００３４】
内部シート５０Ａの一端は一方の頂板４０の内面に貼り付けられ、内部シート５０Ａの他端は他方の頂板４０の内面に貼り付けられている。
【００３５】
内部シート５０Ａの外面は、ホットメルト接着剤などの接着剤によって底板２０、両側壁３２，３２および両頂板４０，４０の内面に貼り付けられている。第一実施形態では、複数の接着点６０によって内部シート５０Ａが底板２０、両側壁３２，３２および両頂板４０，４０に貼り付けられている。
【００３６】
複数の接着点６０は、図２に示すように、通気孔４１が、箱体１０の内面と内部シート５０Ａの外面との隙間を介して通じるように配置されている。
包装箱１Ａでは、箱体１０の内面と内部シート５０Ａの外面との接着領域と非接着領域とが設けられている。そして、非接着領域は、通気孔４１から内部シート５０Ａの縁部まで連続している。
また、左右の頂板４０，４０の内面に貼り付けられた内部シート５０Ａの縁部同士は接着されていない。
そして、包装箱１Ａでは、箱体１０の内面と内部シート５０Ａの外面との隙間が、通気孔４１と箱体１０の内部空間とに通じる通気路となっている。
【００３７】
ここで、第一実施形態の包装箱１Ａの製造方法を説明する。
【００３８】
包装箱１Ａの製造方法は、箱体１０のブランクシートＳを形成する工程と、ブランクシートＳに内部シート５０Ａを貼り付ける工程とを含む。
【００３９】
ブランクシートＳを形成する工程は、一枚の段ボール製のシート部材を、例えば図４に示すブランクシートＳに加工する工程である。すなわち、シート部材を、底板２０と、底板２０の縁部に連接された角筒状の壁部３０と、壁部３０の上縁部に連接された左右の頂板４０，４０と、頂板４０，４０または壁部３０に形成された通気孔４１とを備えた箱体を展開したブランクシートＳに加工する工程である。
【００４０】
図４の例では、壁部３０は、前後一対の端壁３１，３１と、左右一対の側壁３２，３２と、を備え、更に、端壁３１の縁部には帯状のフラップ３４が連接され、側壁３２の縁部には接合片３３が連接されている。また、頂板４０に四つの通気孔４１が前後方向に間隔を空けて形成される。
【００４１】
シート部材のブランクシートＳへの加工は、例えば、平盤ダイカッタやロータリーダイカッタ等の打抜機を使用して行われる。
【００４２】
ブランクシートＳを形成後、ブランクシートＳに内部シート５０Ａを貼り付ける工程が続く。
【００４３】
この工程では、箱体１０の内面となるブランクシートＳの面に、通気孔４１を覆うように紙製の内部シート５０Ａを貼り付ける。具体的には、箱体１０の内面となるブランクシートＳの面に、ホットメルト接着剤をホットメルトアプリケーターにより所望の量および範囲に塗布し、その後、前後方向の幅が底板２０、側壁３２および頂板４０の前後方向の幅となるように裁断された内部シート５０Ａを、通気孔４１を覆うように貼り付ける。
【００４４】
ブランクシートＳと内部シート５０Ａの貼り付けは、ラミネーター装置等を使用して行われる。
【００４５】
内部シート５０Ａが貼り付けられたブランクシートＳは、その後、包装箱１Ａに組み立てられる。
【００４６】
以上のような包装箱１Ａでは、通気孔４１が内部シート５０Ａによって覆われているため、頂板４０の外面に吹き付けられた冷風が生鮮食品に直接当たることを防止できる。これにより、包装箱１Ａでは、生鮮食品の冷凍焼けを防止できるため、生鮮食品の味や見た目などの品質低下を抑えて、生鮮食品を冷凍保存できる。
【００４７】
内部シート５０Ａは紙製であるため、包装箱１Ａを廃棄する際に箱体１０と内部シート５０Ａとを分別しなくてもリサイクルすることができる。
【００４８】
包装箱１Ａでは、図２に示すように、外部から通気孔４１を通過した冷気が、箱体１０の内面と内部シート５０Ａの外面との隙間を通じて、箱体１０の内部空間を包み込むため、生鮮食品の冷却効率を高めることができる。
【００４９】
包装箱１Ａでは、内部シート５０Ａが底板２０、壁部３０および頂板４０の内面に貼り付けられているため、箱体が濡れて損傷することを抑えることができる。
更に、包装箱１Ａでは、図３に示すように、底板２０、両側壁３２，３２および両頂板４０，４０の内面に一枚の内部シート５０Ａが貼り付けられている。この構成では、内部シート５０Ａの切断加工を簡略化できるとともに、箱体１０の内面に内部シート５０Ａを簡単に貼り付けることができる。したがって、包装箱１Ａの製造効率を高めることができる。
【００５０】
包装箱１Ａでは、段ボール製の箱体１０の内面に耐水性または撥水性を有する内部シート５０Ａが貼り付けられているため、冷気や生鮮食品などから生じた水分などにより箱体１０が濡れて損傷することを抑えることができる。
【００５１】
また、包装箱１Ａの製造方法では、ブランクシートＳを加工した後に内部シート５０Ａを貼り付けるため、ブランクシートＳの加工時に内部シート５０Ａが加工の邪魔をすることがなく、包装箱１Ａを効率良く製造できる。
【００５２】
以上、本発明の第一実施形態について説明したが、本発明は前記第一実施形態に限定されることなく、その趣旨を逸脱しない範囲で適宜に変更が可能である。
第一実施形態では、図３に示すように、内部シート５０Ａが底板２０、両側壁３２，３２および両頂板４０，４０の内面に貼り付けられているが、少なくとも頂板４０の内面に内部シート５０Ａを貼り付けて、内部シート５０Ａによって通気孔４１が覆われていればよい。
【００５３】
第一実施形態では、図１に示すように、頂板４０に四つの通気孔４１が形成されているが、通気孔４１の数、形状および開口面積は限定されるものではなく、箱体１０内の冷却効率を考慮して設定される。また、壁部３０に通気孔を形成してもよく、底板２０に通気孔を形成してもよく、頂板４０と壁部３０と底板２０の全てまたはいずれか二つに通気孔を形成してもよい。
【００５４】
第一実施形態の箱体１０は、段ボール製であるが、本発明の箱体の材質は段ボール製に限定されるものではなく、マニラボール紙、白ボール紙、コートボール紙、チップボール紙、両面カード紙、裏白ボール紙、アイボリー紙等の板紙類や、カートン原紙、カップ原紙等の厚紙類を使用することができる。
【００５５】
第一実施形態の箱体１０は、一枚の底板２０と二枚の頂板４０，４０を有する段ボール箱であるが、本発明の箱体の形式は限定されるものではない。
【００５６】
第一実施形態の内部シート５０Ａは、紙製であれば特に限定されないが、透明性または半透明性を有する紙であると、通気孔４１を覆った場合であっても、包装箱１Ａの内部を視認できるため好ましい。また、内部シート５０Ａの坪量も特に限定されないが、坪量が２００ｇ／ｍ2以下、好ましくは１００ｇ／ｍ2以下の場合、熱伝導性に優れるため好ましい。更にまた、内部シート５０Ａは、防腐剤、脱臭剤、紙力増強剤、透明化剤、着色剤等の改質剤を適宜配合したものとすることができる。
【００５７】
第一実施形態の包装箱１Ａの製造方法についても、前記製造方法に限定されることなく、その趣旨を逸脱しない範囲で適宜に変更が可能である。
第一実施形態の包装箱１Ａの製造方法において、シート部材をブランクシートＳに加工する際、ブランクシートＳの外形形状の加工と通気孔の形成加工とを同時に行うこともできるし、両加工を別々に行うこともできる。
【００５８】
第一実施形態の包装箱１Ａの製造方法では、ブランクシートＳと内部シート５０Ａとの貼り付けの際に、ブランクシートＳにホットメルト接着剤を塗布しているが、ブランクシートＳではなく内部シート５０Ａに塗布してもよい。
【００５９】
第一実施形態の包装箱１Ａの製造方法におけるホットメルトアプリケーターによるホットメルト接着剤の塗布方法は特に限定されることなく、ドット塗布、ビート塗布、スパイラル塗布のいずれかまたはこれらの組み合わせとすることもできる。
【００６０】
［第二実施形態］
次に、第二実施形態の包装箱について説明する。
第二実施形態の包装箱は、図５に示すように、内部シート５０Ｂの大きさが第一実施形態の内部シート５０Ａ（図３参照）と異なっている。
【００６１】
第二実施形態の内部シート５０Ｂの前後方向の幅Ｌ２は、底板２０、両側壁３２，３２および両頂板４０，４０の前後方向の幅Ｌ１よりも広く形成されている。
内部シート５０Ｂは、底板２０、両側壁３２，３２および両頂板４０，４０よりも前後方向にはみ出している。そして、内部シート５０Ｂにおいて底板２０から前後方向にはみ出した部位が両端壁３１，３１の内面の下部に貼り付けられている。
【００６２】
この構成では、箱体１０（図１参照）の内面の広範囲に内部シート５０Ｂが貼り付けられるため、箱体１０が濡れて損傷することを確実に抑えることができる。
【００６３】
ここで、第二実施形態の包装箱の製造方法を説明する。
【００６４】
第二実施形態の包装箱の製造方法は、ブランクシートＳに内部シート５０Ｂを貼り付ける工程において、内部シート５０Ｂの前後方向の幅が、底板２０、両側壁３２，３２および両頂板４０，４０の前後方向の幅よりも広く裁断され、かつ内部シート５０Ｂが、底板２０、両側壁３２，３２および両頂板４０，４０よりも前後方向にはみ出すように貼り付ける点以外は、第一実施形態の包装箱１Ａと同一である。
【００６５】
以上、本発明の第二実施形態について説明したが、本発明は前記第二実施形態に限定されることなく、前記第一実施形態と同様に、その趣旨を逸脱しない範囲で適宜に変更が可能である。
例えば、第二実施形態の内部シート５０Ｂにおいて、頂板４０および側壁３２から前後方向にはみ出した部位を切除してもよい。
【００６６】
また、第二実施形態では、端壁３１の内面の下部のみに内部シート５０Ｂが貼り付けられているが、端壁３１の内面全体に内部シート５０Ｂが貼り付けられるように、内部シート５０Ｂの前後方向の幅を設定してもよい。
【符号の説明】
【００６７】
１Ａ    包装箱
１０    箱体
２０    底板
３０    壁部
３１    端壁
３２    側壁
４０    頂板
４１    通気孔
５０Ａ  内部シート（第一実施形態）
５０Ｂ  内部シート（第二実施形態）
６０    接着点
Ｓ      ブランクシート
【図１】
2020117230.tif 000003
【図２】
2020117230.tif 000004
【図３】
2020117230.tif 000005
【図４】
2020117230.tif 000006
【図５】
2020117230.tif 000007